(57)【要約】【課題】  本発明は、喫煙室の出入口から天井に向けてテーパー部を設けることにより、煙の滞留が生じない効率の良い換気が行えるタバコ排煙システムを提供することを目的とするものである。【解決手段】  本発明は、喫煙室２の出入口３で０．２ｍ/秒以上の空気流が発生するように換気扇５が設置される喫煙室２において、この出入口３の上端より天井６面に向けて傾斜面を備えることにより煙の滞留が生じない効率の良い換気が行える構成とするものである。【選択図】        図１
2005172372.tif 000002
【特許請求の範囲】
【請求項１】
喫煙室の出入口で所定の速度の空気流が発生するように換気扇が設置される喫煙室において、
該出入口の上端より天井面に向けて傾斜面を備える
ことを特徴とするタバコ排煙システム。
【請求項２】
前記出入口の上端より天井面に向けて３０度から６０度範囲の傾斜面を形成する
ことを特徴とする請求項１記載のタバコ排煙システム。
【請求項３】
前記所定の速度を０．２ｍ/秒以上とする
ことを特徴とする請求項１または２記載のタバコ排煙システム。
【発明の詳細な説明】
【技術分野】
【０００１】
本発明は、タバコ排煙システムに関する。詳しくは人が多数集まる病院や競技場などの公共的施設における喫煙室、あるいは職場における喫煙コーナーの排煙システムに係るものである。
【背景技術】
【０００２】
近年、病院、劇場および競技場などの公共的施設や職場などにおいては非喫煙者と喫煙者とが混在するために、ホールの壁際にパーテーションによって区切り、換気扇を備えた喫煙室を設け、喫煙者はこの喫煙室において喫煙することにより他の非喫煙者の健康に悪影響を及ぼすタバコ煙を喫煙室外へ漏らさないよう配慮されている。
【０００３】
そこでこの種の喫煙室装置として図１２に示すように、外箱１０１と、該外箱１０１の前面から引き出し可能に設けられ、前面に観音扉を有し後面が開放された内箱１０２と、該内箱１０２を引き出した状態で直角に開放した扉１０３、１０３と、該開放した扉１０３、１０３間の上部を覆う覆い板１０４と、該覆い板１０４の前縁より垂下したカーテン１０５とで構成した喫煙空間１０６を設け、該喫煙空間１０６に連通して集煙手段１０７を設けた構成としたものがある（特許文献１参照。）。
【０００４】
【特許文献１】特開２０００−１３６６４４号（要約書、第１図参照。）
【発明の開示】
【発明が解決しようとする課題】
【０００５】
しかしながら前記装置では天井に集煙手段１０７が設けられているために、この集煙手段１０７下での喫煙に対しては集煙効果を得ることが可能となるが、前記喫煙室の構造が煙を外に出さない密閉構造とされるために、複数の人による喫煙では喫煙空間１０６内の集煙が充分に機能しない問題がある。
【０００６】
また、公共的施設に設置される喫煙室の構造の多くは図１３に示すように、パーテーションやビニールなどの垂壁によって仕切られた喫煙室１０９の出入口１１０で０．２ｍ/秒以上の一定の空気の流れが発生するように換気扇１０８を窓、あるいは壁に設置する。
【０００７】
従って前記喫煙室１０９内には出入口１１０から換気扇１０８に向けて常に空気流が生じる、所謂プッシュ・プル式換気が行われることとなり、喫煙者の多い場合でも効率の良い換気が行われるという特徴がある。
【０００８】
しかし出入口１１０と喫煙室１０９の天井との空間においてまきこみ現象が生じ、喫煙室１０９内の煙が出入口１１０付近に滞留し、喫煙者が退室するときの気流によって出入口１１０から煙が漏れ出る問題が生じる。
【０００９】
さらに出入口１１０から喫煙室１０９内への断面積が急激に変わることにより、空気抵抗が大きくなり、出入口１１０で０．２ｍ/秒以上の一定の空気の流れを設定する場合には必要以上に換気扇の換気風量が必要となる問題がある。
【００１０】
本発明は、以上の点に鑑みて創案されたものであって、喫煙室の出入口から天井に向けてテーパー部を設けることにより、煙の滞留が生じない効率の良い換気が行えるタバコ排煙システムを提供することを目的とするものである。
【課題を解決するための手段】
【００１１】
上記の目的を達成するために、本発明に係るタバコ排煙システムは、喫煙室の出入口で０．２ｍ/ｓｅｃ以上の空気流が発生するように換気扇が設置される喫煙室において、該出入口の上端より天井面に向けて傾斜面を備える。
【００１２】
ここで、パーテーションなどによって仕切られた喫煙室の窓や壁に設置される換気扇によって喫煙室の出入口で０．２ｍ/ｓｅｃ以上の空気流を発生させることにより、喫煙室内で発生するタバコの煙は喫煙室の出入口から取り入れられる空気流によって換気扇より排気される。この際に出入口の上端より天井面に向けて傾斜面を形成することにより出入口近傍に煙が滞留し、外部に漏れることなく効率の良い煙の換気が可能となる。
【発明の効果】
【００１３】
本発明のタバコ排煙システムでは、喫煙室外の空気を取り入れながら換気扇によって喫煙室内の煙の換気を行う所謂プッシュ・プル換気システムにおいて、喫煙室の出入口の上端より天井面に向けて傾斜面を形成することにより出入口と天井面とのコーナー部分による煙の滞留が生起することがなく、一定の流速を得ることが可能となり、喫煙者の出入りによりタバコの煙の出入口からの漏出を防ぐことができる。
【００１４】
また、天井面の向けての傾斜面を形成することにより喫煙室の出入口から換気扇に向けての空気流は傾斜面に沿って流れるために一定の流速を確保することが可能となり、従来の換気扇の排気能力によって最大限の空気の流速を得ることができ、煙の排気効率を向上させることができる。
【発明を実施するための最良の形態】
【００１５】
以下、本発明の実施の形態を図面を参酌しながら説明し、本発明の理解に供する。
【００１６】
図１に、本発明を適用したタバコ排煙システムの一例を説明するための概要説明図を示す。ここで示すタバコ排煙システムは、事務所などの屋内にパーテーションなどの仕切り壁１によって喫煙室２が組立形成される。
【００１７】
そこで喫煙室２には人が自在に出入りできる高さ（約２ｍ程度）を有する出入口３が設けられ、この出入口３と反対側の喫煙室２の壁面４に換気扇５が設置されるものである。そして換気扇５は、前記喫煙室２の出入口３で０．２ｍ/秒以上の一定の流速が発生する排気風量が確保されるように台数、排気容量および開口面積が設定されるものである。
【００１８】
ここで、前記換気扇５による屋外への排気によって喫煙室２内に負圧が生じ、この負圧により出入口３から外の空気が吸引され、喫煙室２内で０．２ｍ/秒以上の流速が生じる状況下で喫煙をした場合には、喫煙室２内の空気流にタバコの煙が吸引されながら排気されることになる。
【００１９】
そこで出入口３の上端より喫煙室２内の天井６面に向けて傾斜面７が形成される。この傾斜面７によって出入口３から喫煙室２内へ流れ込む空気は、傾斜面７に沿って一定の流速を保ちながら換気扇５側への空気流が生じることになる。従って傾斜面７を設けることにより出入口３から間口面積が急激に広がることによる流速の低下を防ぐことが可能となり、また出入口３上部の天井コーナーへの煙の滞留を防ぐことが可能となる。
【００２０】
次に前記傾斜面の角度を図２に示すように１５度、３０度、４５度、６０度および９０度に設定し、喫煙室内の煙の排気量を測定した。
【００２１】
そこで前記それぞれの傾斜角度による煙の排気量の測定結果を図３のグラフ図に示すものであり、この測定結果により３０度から６０度の間は効率よく排気され、１５度および９０度では傾斜面を設けない場合と略同程度の煙が滞留することが確認された。従って景斜面の角度は３０度から６０度範囲内とすることが最も効率の良い排気を得ることが可能となる。
【００２２】
次に喫煙室の条件としては、煙や臭いが禁煙区域に漏れないこと、喫煙場所の空気環境も評価基準である０．１５ｍｇ/ｍ３以下に維持する必要があり、この条件を成り立たせるためには換気扇を用いて出入口で０．２ｍ/秒以上の空気の流れが必要となる。
【００２３】
従って喫煙室の出入口面積に０．２ｍ/秒と６０秒をかけることにより排気風量ｍ３/分が算出されることになり、この算出される排気風量ｍ３/分に見合う排気能力を備えた換気扇を設置するものである。
【００２４】
ここで、喫煙室を構成する仕切り壁は必ずしも床上から天井までを密閉状に仕切る構成とする必要性は無く、例えば換気扇を囲むような状態で天井から顔の高さまで透明のスクリーンなどを垂らした構成であっても良い。
【００２５】
また、出入口から天井面に向けて形成する傾斜面としては合成樹脂製や布製のスクリーンあるいは合成樹脂製板や木製板などを用いる場合やあらかじめ出入口から天井面に向けて傾斜面を形成した喫煙室を構築する場合も考えられるものである。
【００２６】
次に図４に示すのは本発明を適用したタバコ排煙システムの他の例を説明するための概要説明図を示す。
ここで示すタバコ排煙システムは、例えば窓や壁面に換気扇を取り付けることができない状況の部屋の一角に喫煙コーナーを設ける場合に、窓側の天井付近に換気扇５を配置し、この換気扇５に排気ダクト８を接続する。
【００２７】
この排気ダクト８を、窓９を開いた状態で取付けられる仕切り板１０の排気穴１１、若しくは窓に連通状に接続することにより、タバコの煙の換気を行う構成とするものである。
【００２８】
そこで前記換気扇５の両側には天井高さとした仕切り壁１を配置し、この仕切り壁１との間に、天井６面から出入口３側に向けて傾斜面７を形成するものである。
なお傾斜面としては合成樹脂製板や木製板などを用いる場合や出入口から天井面に向けて合成樹脂製や布製のスクリーンを形成する場合も考えられるものである。
【００２９】
また、図５に本発明を適用した排煙室の他の例を示すものであり、天井高さに応じて仕切り壁の高さ調整が自在に行える機構として、一定高さの仕切り壁１に対して上端が傾斜状とされる台形状の高さ調整用仕切り壁１２の下部を重ねた状態で挟持部材１３によって連結される機構とし、天井高さに応じて高さ調整用仕切り壁１２の上端が天井面高さとなるまで調整した後に挟持部材１３によって締め付けて連結するものである。そして高さ調整用仕切り壁１２の上端に沿って合成樹脂製板やスクリーンなどによって傾斜面７を形成するものである。
【００３０】
更に図６に示すように、天井６面が傾斜状に形成される床置き型の喫煙室２の窓側位置に換気扇５が取り付けられ、この換気扇５に排気ダクト８が接続された構成とするものである。従ってホールや部屋の一角に持ち運んだ排気ダクト８が窓等を介して外気に連通状とすることでタバコの煙の換気を行う構成とするものである。
【００３１】
また、換気扇５は必ずしも室内側に設置する必要性は無く、図７に示すように排気ダクト８の先端側に配置して喫煙室２内のタバコの煙の換気を行う構成しても構わない。
なお前述した排気ホースは折り曲げ自在なフレキシブルホースやダクトなど窓等を通じて外気に連通状に設置できるものであればいかなる形態の部材であっても構わないものである。
【００３２】
また、あらかじめ窓や壁面に換気扇が設置されているような既存の喫煙場所にあっては図８に示すように、換気扇５を囲むような状態で床面１４と天井３面との間に４本のポール１５を立設し、このポール１５間にビニールシートなどを張設して仕切り壁１を形成する。そして天井６面から出入口３側に向けてスクリーンによる傾斜面７を形成することによって容易に喫煙室を設置することが可能となる。
【００３３】
次に、図９および図１０に示すように左右開閉式の窓に換気扇の設置例を示すものであり、フード１７を建物の壁４にボルトなどによって固定し、窓９の開閉に支障が無いように窓枠に取り付けられる固定枠に換気扇５を設けた構成とするものである。
これにより換気扇５はフード１７によって風雨から防護されると共に、不在時や台風などの気象状況下では窓を閉めることが可能となるものである。
【００３４】
また、図１１に窓に換気扇を設置する一例を示すものであり、窓９の窓枠に換気扇支持部１８を取り付け、この換気扇支持部１８内に換気扇５を設けるものである。
【００３５】
ここで、前記換気扇５を囲む状態で形成される仕切り壁１内では前記換気扇５による屋外への排気によって仕切り壁１内に負圧が生じ、この負圧により仕切り壁１周囲から外気が吸引され、０．２ｍ/秒以上の流速が生じる状況下でタバコの煙が吸引されながら排気されることになる。
【００３６】
また、換気扇５の反対側の仕切り壁１下から流れ込む空気は、この仕切り壁１の傾斜面に沿って一定の流速を保ちながら換気扇５側への空気流が生じることになる。従って傾斜面を設けることにより天井コーナーへの煙の滞留を防ぐことが可能となり、仕切り壁１内から煙の漏れを防止することができる。
【００３７】
従って窓枠に換気扇を設置することが困難である場所での喫煙コーナーの設置が非常に容易に行えることができ、かつ効率の良い排気が可能となる。
なお、天井から垂らした仕切り壁のみでも充分な排気効果を得ることができるが、仕切り壁下に本箱やショーケースなどを配置して、換気扇と反対側の仕切り壁下を出入口とした構成とすることによりより一層の排気効果を得ることが可能となる。
【図面の簡単な説明】
【００３８】
【図１】本発明を適用したタバコ排煙システムの一例を説明するための概要説明図である。
【図２】本発明を適用したタバコ排煙システムにおける傾斜面の角度を１５度、３０度、４５度、６０度および９０度に設定した状態を示す説明図である。
【図３】本発明を適用したタバコ排煙システムにおける傾斜面の角度を１５度、３０度、４５度、６０度および９０度に設定した状態での煙の排気量の比較を示すグラフ説明図である。
【図４】本発明を適用したタバコ排煙システムの他の例を説明するための概要説明図である。
【図５】本発明を適用した排煙室の他の例を示す説明図である。
【図６】本発明を適用した排煙室の他の例を示す説明図である。
【図７】図６における換気扇の他の配置例を示す説明図である。
【図８】本発明を適用した排煙室の他の例を示す説明図である。
【図９】本発明を適用した排煙室における換気扇の取付けの一例を示す側面断面説明図である。
【図１０】図９における正面説明図である。
【図１１】本発明を適用した排煙室における換気扇の取付けの他の例を示す説明図である。
【図１２】従来の喫煙室装置の一例を示す説明図である。
【図１３】従来の排煙システムの一例を示す説明図である。
【符号の説明】
【００３９】
１    仕切り壁
２    喫煙室
３    出入口
４    壁面
５    換気扇
６    天井
７    傾斜面
８    排気ダクト
９    窓
１０  仕切り板
１１  排気穴
１２  高さ調整用仕切り壁
１３  挟持部材
１４  床面
１５  ポール
１６  換気口
１７  フード
１８  換気扇支持部
【図１】
2005172372.tif 000003
【図２】
2005172372.tif 000004
【図３】
2005172372.tif 000005
【図４】
2005172372.tif 000006
【図５】
2005172372.tif 000007
【図６】
2005172372.tif 000008
【図７】
2005172372.tif 000009
【図８】
2005172372.tif 000010
【図９】
2005172372.tif 000011
【図１０】
2005172372.tif 000012
【図１１】
2005172372.tif 000013
【図１２】
2005172372.tif 000014
【図１３】
2005172372.tif 000015